(57)【要約】少なくとも１つの第２のセルによって干渉される第１のセルのｅＮＢは、第２のセルのｅＮＢまたはネットワーク構成によって構成されるほぼブランクのサブフレームを示すパターン情報を、第２のセルのｅＮＢまたはネットワーク構成から取得し、サブフレームを示す測定シグナリングを決定し、かつＵＥに測定シグナリングを送信する。第１のセルのＵＥは、サービスを提供するｅＮＢから測定シグナリングを受信し、測定シグナリングは、少なくとも１つの第２のセルまたはネットワーク構成によって推奨される少なくとも１つのパターン情報を含み、パターン情報のそれぞれは、対応する第２のセルによって構成される少なくとも１つのほぼブランクのサブフレームを示し、測定シグナリングに従って測定に使用されるリソースを決定し、かつ決定したリソースで測定を実行する。
2013544051.tif 000002
【特許請求の範囲】
【請求項１】
第１のセルのｅＮＢにおいて、前記第１のセルのＵＥに測定シグナリングを伝える方法であって、前記第１のセルは、少なくとも１つの第２のセルによって干渉を受け、
Ａ．前記第２のセルのｅＮＢまたはネットワーク構成によって構成されるほぼブランクのサブフレームを示すパターン情報を、前記第２のセルのｅＮＢまたは前記ネットワーク構成から取得するステップと、
Ｂ．サブフレームを示す測定シグナリングを決定するステップと、
Ｃ．前記ＵＥに前記測定シグナリングを送信するステップと、を備える方法。
【請求項２】
前記ステップＢは、
前記第１のセルの特定のＵＥによって使用されるサブフレームを示すＵＥ固有の測定シグナリングおよび／または前記第１のセルのすべてのＵＥによって使用されるサブフレームを示すセル固有の測定シグナリングを決定するステップをさらに含み、
前記ステップＣは、
前記ＵＥに前記ＵＥ固有の測定シグナリングを送信し、かつ／またはセル固有の測定シグナリングをブロードキャストするステップをさらに含む、請求項１に記載の方法。
【請求項３】
前記パターン情報は、半動的な方法で送信される第１のタイプの情報および半静的な方法で送信される第２のタイプの情報を含み、前記ステップＢは、
前記第１のタイプの情報から前記ＵＥ固有の測定シグナリングを決定するステップおよび前記第２のタイプの情報から前記セル固有の測定シグナリングを決定するステップをさらに含み、
前記ステップＣは、
前記ＵＥに前記ＵＥ固有の測定シグナリングを送信し、かつ／またはセル固有の測定シグナリングをブロードキャストするステップをさらに含む、請求項２に記載の方法。
【請求項４】
前記ＵＥ固有の測定シグナリングおよび前記セル固有の測定シグナリングは、
ＣＳＩの測定に使用される前記ＵＥ固有の測定シグナリングならびにＲＲＭおよびＲＬＭの測定に使用される前記セル固有の測定シグナリング、
ＣＳＩ、ＲＲＭ、およびＲＬＭの測定に使用される前記ＵＥ固有の測定シグナリング、
ＣＳＩ、ＲＲＭ、およびＲＬＭの測定に使用される前記セル固有の測定シグナリング、
ＣＳＩおよびＲＲＭの測定に使用される前記ＵＥ固有の測定シグナリングおよびＲＬＭの測定に使用される前記セル固有の測定シグナリング、
ＲＲＭおよびＲＬＭの測定に使用される前記ＵＥ固有の測定シグナリングおよびＣＳＩの測定に使用される前記セル固有の測定シグナリング、のうちの１つとして構成される、請求項２または３に記載の方法。
【請求項５】
前記測定シグナリングは、前記少なくとも１つの第２のセルのそれぞれのセルＩＤをさらに含む、請求項１に記載の方法。
【請求項６】
前記測定シグナリングは、ＲＲＣまたはＭＡＣ制御メッセージに含まれ、かつ／または前記測定シグナリングは、測定および／またはスケジューリングおよび／または電力制御および／または協調的な中継および／またはＣｏＭＰに使用されるサブフレームを示すために使用され、かつ／または前記第１のセルおよび前記第２のセルは、
前記第１のセルはピコセルであり、かつ前記第２のセルはマクロセルである、
前記第１のセルはマクロセルであり、かつ前記第２のセルはフェムトセルである、
のうちの１つとして構成される、請求項１に記載の方法。
【請求項７】
第１のセルのＵＥにおいて、前記第１のセルのサービスを提供するｅＮＢから受信される測定シグナリングを処理する方法であって、
ａ．前記サービスを提供するｅＮＢから前記測定シグナリングを受信するステップを備え、前記測定シグナリングは、少なくとも１つの第２のセルからの少なくとも１つのパターン情報を含み、前記パターン情報のそれぞれは、前記対応する第２のセルによって構成される少なくとも１つのほぼブランクのサブフレームを示し、さらに、
ｂ．前記測定シグナリングに従って測定に使用されるリソースを決定するステップと、
ｃ．前記決定したリソースで測定を実行するステップとを備える、方法。
【請求項８】
前記サービスを提供するｅＮＢから受信された測定シグナリングは、少なくとも１つの第２のセルの少なくとも１つのセルＩＤをさらに含む、請求項７に記載の方法。
【請求項９】
前記ステップｂは、
事前に定めたルールに従って、前記少なくとも１つの第２のセルから、前記ＵＥに引き起こされた干渉を考慮する必要がある少なくとも１つの候補セルを選択するステップと、
１つの候補セルが選択された場合、前記候補セルによって構成されたほぼブランクのサブフレームを測定に使用することを決定するステップと、
複数の候補セルが選択された場合、前記複数の候補セルによって構成されたほぼブランクのサブフレームの共通部分が測定に使用されることを決定するステップとをさらに含む、請求項７または８に記載の方法。
【請求項１０】
前記事前に定めたルールは、
前記候補セルとして前記ＵＥへの最も大きい干渉を引き起こす前記第２のセルを選択するステップと、
前記候補セルとして前記ＵＥへの最も大きい干渉を持つ事前に定めた数の第２のセルを選択するステップと、
前記候補セルとして事前に定めたしきい値を超えて前記ＵＥに引き起こされた干渉を持つ少なくとも１つの第２のセルを選択するステップと、
のいずれか１つを含む、請求項９に記載の方法。
【請求項１１】
前記ステップは、
前記サービスを提供するｅＮＢから前記ＵＥ固有およびセル固有の測定シグナリングを受信するステップをさらに含み、
前記ステップｂは、
前記ＵＥ固有の測定シグナリングを持つ前記セル固有の測定シグナリングを上書きするステップをさらに含む、請求項７乃至１０のいずれか１項に記載の方法。
【請求項１２】
前記測定シグナリングは、前記決定されたリソースでＵＥ固有の測定を前記ＵＥが停止する時期を示すためのトリガーをさらに含み、
前記トリガーが有効な場合、前記方法は、前記ステップｃの後に、
前記セル固有の測定シグナリングに従って取得されたリソースに対して限定されていない測定または測定を実行するというステップをさらに含む、請求項１１に記載の方法。
【請求項１３】
前記第１のセルおよび前記第２のセルは、
前記第１のセルはピコセルであり、かつ前記第２のセルはマクロセルである、
前記第１のセルはマクロセルであり、かつ前記第２のセルはフェムトセルである、
のうちの１つとして構成される、請求項７乃至１２のいずれか１項に記載の方法。
【請求項１４】
第１のセルのｅＮＢにおいて、前記第１のセルのＵＥに測定シグナリングを伝える第１の装置であって、前記第１のセルは、少なくとも１つの第２のセルによって干渉を受け、前記第１の装置は、
前記第２のセルのｅＮＢまたはネットワーク構成によって構成されるほぼブランクのサブフレームを示すパターン情報を、前記第２のセルのｅＮＢまたはネットワーク構成から取得するように構成された取得手段と、
サブフレームを示す測定シグナリングを決定するように構成された第１の決定手段と、
前記ＵＥに前記測定シグナリングを送信するように構成された送信側とを備える、第１の装置。
【請求項１５】
第１のセルのＵＥにおいて、前記第１のセルのサービスを提供するｅＮＢから受信される測定シグナリングを処理する第２の装置であって、
前記サービスを提供するｅＮＢから前記測定シグナリングを受信するように構成された受信機であって、前記測定シグナリングは、少なくとも１つの第２のセルからの少なくとも１つのパターン情報を含み、前記パターン情報のそれぞれは、前記対応する第２のセルによって構成される少なくとも１つのほぼブランクのサブフレームを示す受信機と、
前記測定シグナリングに従って測定に使用される前記リソースを決定するように構成された第２の決定手段と、
前記決定したリソースで測定を実行するように構成された測定手段とを備える、第２の装置。
【発明の詳細な説明】
【技術分野】
【０００１】
本発明は異機種ネットワークに関し、特に異機種ネットワークのｅＮＢおよびＵＥに関する。
【背景技術】
【０００２】
異機種ネットワーク（省略形はＨｅｔＮｅｔ）は、ＬＴＥ−Ａｄｖａｎｃｅｄ（省略形はＬＴＥ−Ａ）ワーク・アイテムの範囲に追加されており、現在では、同一チャネルＨｅｔＮｅｔ展開のために拡張されたセル間干渉調整（省略形はＩＣＩＣ）は、ＬＴＥリリース１０（省略形はＲｅｌ−１０）の重要な技術の１つである。
【０００３】
同一チャネルＨｅｔＮｅｔは、マクロセル、および同じ周波数チャネルで動作する小セルを含む。そのような展開では、新しいＩＣＩＣ技術が必要な特定の干渉シナリオが提示される。
【０００４】
あるシナリオでは、小セルはピコセルであり、マクロセル・ネットワークのユーザに開放されている。そのようなピコセルが、総トラフィック負荷の有益な割り当て分を運ぶことを保証するために、たとえば、関連するピコセルを選択するＳＩＮＲしきい値を偏倚させることによって、ユーザ装置（ＵＥ）は、マクロセルではなくピコセルに優先的に関連するようにプログラムすることができる。そのような条件では、ピコセルのカバレッジ・エリアのエッジの近くにあるＵＥは、１つまたは複数のマクロセルから強い干渉を受けることになる。そのような干渉を緩和するために、マクロセルにおいて、一部のサブフレームは「ブランク」または「ほぼブランク」として構成することができる。ブランクのサブフレームは、マクロセルからの伝送を含んでおらず、一方、「ほぼブランク」のサブフレームは、典型的にはデータ伝送を含んでおらず、制御信号伝送は、ほとんどまたはまったく含んでいないが、測定のために参照信号の検出を期待するが、ほぼブランクのサブフレームの構成を認識しないレガシー端末との後方互換性を保証するために参照信号伝送を含む。ほぼブランクのサブフレームは、また、同期信号、ブロードキャスト制御情報、および／またはページング信号を含むことができる。
【０００５】
ブランクまたはほぼブランクのサブフレーム（省略形はＡＢＳ）を効果的に使用するために、以下、「ＡＢＳ」という用語を使用するが、ブランクおよびほぼブランクのサブフレームの両方を含むものと理解されるべきであり、ＬＴＥでは「Ｘ２」インターフェースとして知られている、対応するバックホール・インターフェースを横断してマクロセルからピコセルにシグナリングが必要である。ＬＴＥ  Ｒｅｌ−１０では、このＸ２シグナリングは、ＡＢＳのパターンを示すために調整ビットマップの形をとることが合意されており、たとえば、各ビットは、一連のサブフレームの１つのサブフレームに対応し、ビットの値は、サブフレームがＡＢＳかどうかを示している。そのようなシグナリングは、干渉を回避するために、たとえば、ＡＢＳの間にピコセルのエッジの近くにあるＵＥに伝送をスケジューリングすることによって、ピコセルのデータ伝送をピコセルが適切にスケジューリングし、マクロセル干渉が小さく、したがってＲＲＭおよび／またはＲＬＭおよび／またはＣＳＩ測定に使用されるべきであるサブフレームをＵＥに伝えるのを支援することができる。ここで、ＲＲＭは無線資源管理の省略形であり、典型的にはハンドオーバーに関し、ＲＬＭは、無線リンク監視の省略形であり、典型的にはサービスを提供する無線リンクの障害の検出に関し、ＣＳＩはチャネル状態情報の省略形であり、典型的にはサービスを提供する無線リンクでのリンク・アダプテーション（ｌｉｎｋ  ａｄａｐｔａｔｉｏｎ）に関する。
【０００６】
次に、ＲＲＣシグナリングは、たとえばＲＬＭおよび／またはＲＲＭおよび／またはＣＳＩについて、測定に使用するべき１組のサブフレームをＵＥに示すために必要である。
【０００７】
小セルがフェムトセルであり、限定加入者グループ（省略形はＣＳＧ）単位で動作し、したがって典型的には、マクロセル・ネットワークのユーザに開放されていないという他のシナリオが、ＨｅｔＮｅｔで発生する。この場合、これらのマクロセルＵＥがフェムトｅＮＢに近づいたときに、フェムトセルは、マクロセルＵＥに対して強い干渉を引き起こす場合がある。つまり、リソース固有の測定を行うべきサブフレーム、即ち、１つまたは複数のフェムトセルからの干渉が減る、またはないサブフレームをマクロセルがＵＥに示すことが有益な場合がある。
【先行技術文献】
【非特許文献】
【０００８】
【非特許文献１】ＲＡＮ１＃６２ｂｉｓのＲ１−１０５７７９
【非特許文献２】ＴＳ３６．３３１
【非特許文献３】ＴＳ３６．２１２［２２］
【非特許文献４】３ＧＰＰ  ＬＴＥ／ＬＴＥ−Ａ標準
【非特許文献５】ＩＥＥＥ８０２．１６ｍ
【発明の概要】
【課題を解決するための手段】
【０００９】
したがって、測定シグナリングを伝えるための方法および対応する装置を設計することが必要である。少なくとも１つの第２のセルによって干渉を受ける第１のセルのｅＮＢは、第２のセルのｅＮＢまたはネットワーク構成によって構成されるほぼブランクのサブフレームを示すパターン情報を、第２のセルのｅＮＢまたはネットワーク構成から取得し、サブフレームを示す測定シグナリングを決定し、かつＵＥに測定シグナリングを送信する。第１のセルのＵＥは、サービスを提供するｅＮＢから測定シグナリングを受信し、測定シグナリングは、少なくとも１つの第２のセルまたはネットワーク構成によって推奨される少なくとも１つのパターン情報を含み、パターン情報のそれぞれは、対応する第２のセルによって構成される少なくとも１つのほぼブランクのサブフレームを示し、測定シグナリングに従って測定に使用されるリソースを決定し、かつ決定したリソースで測定を実行する。
【００１０】
本発明の第１の態様によれば、第１のセルのｅＮＢにおいて、第１のセルのＵＥに測定シグナリングを伝える方法が提供され、第１のセルは、少なくとも１つの第２のセルによって干渉を受け、
Ａ．第２のセルのｅＮＢまたはネットワーク構成によって構成されるほぼブランクのサブフレームを示すパターン情報を、第２のセルのｅＮＢまたはネットワーク構成から取得するステップと、
Ｂ．サブフレームを示す測定シグナリングを決定するステップと、
Ｃ．ＵＥに測定シグナリングを送信するステップと
を含む。
【００１１】
本発明の第２の態様によれば、第１のセルにＵＥにおいて、第１のセルのサービスを提供するｅＮＢから受信される測定シグナリングを処理する方法が提供され、
ａ．サービスを提供するｅＮＢから測定シグナリングを受信するステップであって、測定シグナリングは、少なくとも１つの第２のセルからの少なくとも１つのパターン情報を含み、パターン情報のそれぞれは、対応する第２のセルによって構成される少なくとも１つのほぼブランクのサブフレームを示すステップと、
ｂ．測定シグナリングに従って測定に使用されるリソースを決定するステップと、
ｃ．決定したリソースで測定を実行するステップと
を含む。
【００１２】
本発明の第３の態様によれば、第１のセルのｅＮＢにおいて、第１のセルのＵＥに測定シグナリングを伝える第１の装置が提供され、第１のセルは、少なくとも１つの第２のセルによって干渉を受け、
第２のセルのｅＮＢまたはネットワーク構成によって構成されるほぼブランクのサブフレームを示すパターン情報を、第２のセルのｅＮＢまたはネットワーク構成から取得するように構成された取得手段と、
サブフレームを示す測定シグナリングを決定するように構成された第１の決定手段と、
ＵＥに測定シグナリングを送信するように構成された送信側と
を含む。
【００１３】
本発明の第４の態様によれば、第１のセルのＵＥにおいて、第１のセルのサービスを提供するｅＮＢから受信される測定シグナリングを処理する第２の装置が提供され、
サービスを提供するｅＮＢから測定シグナリングを受信するように構成された受信機であって、測定シグナリングは、少なくとも１つの第２のセルからの少なくとも１つのパターン情報を含み、パターン情報のそれぞれは、対応する第２のセルによって構成される少なくとも１つのほぼブランクのサブフレームを示す受信機と、
測定シグナリングに従って測定に使用されるリソースを決定するように構成された第２の決定手段と、
決定したリソースで測定を実行するように構成された測定手段と
を含む。
【００１４】
本発明の実施形態では、測定シグナリングは、特に、異なるシナリオの利用に重要なＲＲＭ／ＲＬＭ／ＣＳＩの測定について、ＵＥ測定のために限定されたリソースを選択するための基準として使用することができる。
【００１５】
本発明の他の機能、態様、および利点は、添付した図面に関して限定を目的としない実施形態に関する以下の記述を読むことによって明白になることになる。
【図面の簡単な説明】
【００１６】
【図１】本発明の一実施形態によるＨｅｔＮｅｔを示す概略図である。
【図２】本発明の一実施形態によるＲＲＣ測定シグナリングを伝えるシステム化された方法を示す流れ図である。
【図３】本発明の実施形態によるＲＲＣ  ＩＥをそれぞれ示す図である。
【図４】本発明の実施形態によるＲＲＣ  ＩＥをそれぞれ示す図である。
【図５】本発明の実施形態によるＲＲＣ  ＩＥをそれぞれ示す図である。
【図６】本発明の実施形態によるＲＲＣ  ＩＥをそれぞれ示す図である。
【図７】マクロセル３１、３２、および３３のＡＢＳのシナリオを示す図である。
【図８】本発明の実施形態によるＲＲＣ  ＩＥをそれぞれ示す図である。
【図９】本発明の実施形態によるＲＲＣ  ＩＥをそれぞれ示す図である。
【図１０】本発明の実施形態によるＲＲＣ  ＩＥをそれぞれ示す図である。
【図１１】本発明の一実施形態によるＲＲＣ測定シグナリングを伝えるための装置を示すブロック図である。
【発明を実施するための形態】
【００１７】
ここで、同一または同様の参照番号は、同一または同様のステップまたは手段を表している。
【００１８】
本発明の実施形態の例示的な説明が、添付の図面と併せて詳細に提供される。
【００１９】
理解を容易にするために、一部の専門用語について最初に説明する。
【００２０】
ピコセルは、室内（オフィス、ショッピング・モール、電車の駅など）、または最近では航空機内など、典型的には小さな領域に対応するワイヤレス通信システムである。
【００２１】
フェムトセルは、典型的には、家庭または小規模企業で使用するために設計された小型のセルラ基地局である。
【００２２】
マクロセルは、パワー・セルラ基地局（ｐｏｗｅｒ  ｃｅｌｌｕｌａｒ  ｂａｓｅ  ｓｔａｔｉｏｎ）（タワー）によってサービスを提供される無線カバレッジを提供する携帯電話ネットワークのセルである。一般的に、マクロセルは、ピコセルおよびフェムトセルより大きなカバレッジを提供する。マクロセルのアンテナは、周囲の建物および地勢を介して明瞭な視野を提供する高さで、地上の柱、屋根、および他の既存の構造に取り付けられる。マクロセル基地局には、典型的には数十ワットの電力出力がある。
【００２３】
異機種ネットワークは、異なるアクセス技術を使用するワイヤレス・ネットワークである。たとえば、ワイヤレスＬＡＮを通じてサービスを提供し、セルラ・ネットワークに切り替えるときにサービスを維持できるワイヤレス・ネットワークは、ワイヤレス異機種ネットワークと呼ばれる。
【００２４】
本発明の実施形態は、ＲＲＭおよび／またはＲＬＭおよび／またはＣＳＩの測定など、特定のリソース固有の操作を実行するべきサブフレームについて、Ｒｅｌ−１０  ＵＥに通知するシグナリングの設計を提案する。
【００２５】
あるシナリオでは、マクロ−ピコのシナリオについて記述され、第１のセルはピコセルでもよく、第２のセルはマクロセルでもよく、かつピコセルのカバレッジ・エリアのエッジの近くのＵＥは、１つまたは複数のマクロセルから強い干渉を受ける。
【００２６】
他のシナリオでは、マクロ−フェムトのシナリオが記述され、第１のセルはマクロセルでもよく、第２のセルはフェムトセルでもよく、かつこれらのマクロセルＵＥが上に説明したようにフェムトｅＮＢに近づいたときに、ＣＳＧ単位で動作するフェムトセルは、マクロセルＵＥに対して強い干渉を引き起こす場合がある。
【００２７】
以下、説明のみを目的として、本発明の技術的解決策は、第１のセルの説明的な例として主にピコセル１、第２のセルの説明的な例としてマクロセル２および３を使用して記述する。当業者は、第１のセルとしてのマクロセルおよび第２のセルとしてのフェムトセルに関して、技術的解決策の実装を完全に理解できることを理解されたい。すなわち、本発明の実施形態は、マクロＵＥがフェムトｅＮＢから深刻な干渉を受けるシナリオでも同様に適用可能である。
【００２８】
さらに、異なるマクロｅＮＢは、異なるＡＢＳパターンを用いることができる。図１に示すように、１つのピコのＵＥは、複数のマクロｅＮＢから干渉を受ける場合がある。その結果、これら複数のｅＮＢからピコｅＮＢで２つ以上のＡＢＳパターンを受信することができる。
【００２９】
図１は、本発明の一実施形態によるＨｅｔＮｅｔを示す概略図である。ピコセル３１のｅＮＢ２１によって支配されるＵＥ１１は、マクロセル３２およびマクロセル３３から深刻な干渉を受ける。したがって、ＵＥ１１は被干渉ＵＥとも呼ばれ、ｅＮＢ２２、２３、および２４は与干渉ｅＮＢとも呼ばれる。
【００３０】
図２は、本発明の一実施形態による測定シグナリングを伝えるシステム化された方法の流れ図を示している。以下、測定シグナリングを伝える方法は、図２を参照して、かつ図１に関して記述する。
【００３１】
まず、ステップＳ２０において、ピコセル３１のｅＮＢ２１は、マクロセル３２のｅＮＢ２２およびマクロセル３３のｅＮＢ２３またはネットワーク構成によって構成されるほぼブランクのサブフレームを示す、マクロセル３２のｅＮＢ２２からのパターン情報、マクロセル３３のｅＮＢ２３からのパターン情報、およびマクロセル３４のｅＮＢ２４またはネットワーク構成からのパターン情報を取得する。
【００３２】
マクロ−ピコのシナリオでは、ｅＮＢ２１は、たとえば、Ｘ２インターフェースを介して、ｅＮＢ２２およびｅＮＢ２３からパターン情報を取得し、パターン情報は、第２のセルのｅＮＢによって構成されるほぼブランクのサブフレームを示す。
【００３３】
パターン情報は、たとえば、ピコセル３１のｅＮＢ２１で受信されるビットマップである。ビットマップはＡＢＳパターンを示し、たとえば、各ビットは、一連のサブフレームの１つのサブフレームに対応し、ビットの値は、サブフレームがＡＢＳかどうか示している。２つのビットマップがＸ２を通じて送信される実装では、以下を適用することができる。
【００３４】
第１のビットマップ：与干渉ｅＮＢ２２およびｅＮＢ２３が同一チャネル干渉回避スケジューリングのために利用できる半動的なパターンであり、たとえばＣＳＩ測定など、何らかの測定目的でピコセル３１のＵＥ１１によって使用することもできる。
【００３５】
第２のビットマップ：第１のビットマップのサブセットであり、半静的な方法でＸ２を通じて送信される。この第２のビットマップは、少なくともピコセル３１のＵＥ１１のＲＬＭ測定を目的として、および場合によってはＲＲＭ／ＣＳＩの測定など何らかの他の測定のために伝えられることが期待される。
【００３６】
もちろん、ｅＮＢ２１によって受信されるパターン情報は、また、上記のような第１のビットマップおよび第２のビットマップ以外の他の形式をとることもできる。
【００３７】
あるいは、ｅＮＢの間のＸ２インターフェースが省略されるマクロ−フェムトのシナリオでは、ｅＮＢ２１は、また、ネットワーク構成からパターン情報を取得することができ、パターン情報は、ネットワーク構成によって構成されるほぼブランクのサブフレームを示す。
【００３８】
次いで、ステップＳ２１において、ｅＮＢ２１は、サブフレームを示す測定シグナリングを決定する。
【００３９】
測定シグナリングに示される、ＵＥ１１によって使用できるサブフレームは、リソースが限定されていることが好ましい。すなわち、ほぼブランクとしてパターン情報に示されるリソースが、ＵＥ１１によって使用される測定シグナリングで推奨される。
【００４０】
次いで、ステップＳ２２において、ｅＮＢ２１は、ＵＥ１１に測定シグナリングを送信する。
【００４１】
本発明の実施形態では、ステップＳ２１は、ｅＮＢ２１が、ピコセル３１の特定のＵＥによって使用されるサブフレームを示すＵＥ固有の測定シグナリングおよび／またはピコセル３１のすべてのＵＥによって使用されるサブフレームを示すセル固有の測定シグナリングを決定することを含み、ステップＳ２２は、ＵＥにｅＮＢ２１がＵＥ固有の測定シグナリングを送信し、かつ／またはセル固有の測定シグナリングをブロードキャストすることをさらに含む。
【００４２】
本発明の別の実施形態では、パターン情報は、半動的な方法で送信される第１のタイプの情報および半静的な方法で送信される第２のタイプの情報を含み、ステップＳ２１は、ｅＮＢ２１が、第１のタイプの情報からＵＥ固有の測定シグナリングを決定し、第２のタイプの情報からセル固有の測定シグナリングを決定することをさらに含み、ステップＳ２２は、ＵＥにｅＮＢ２１がＵＥ固有の測定シグナリングを送信し、かつ／またはセル固有の測定シグナリングをブロードキャストすることをさらに含む。ＵＥ固有の測定シグナリングは、ｅＮＢが特定のＵＥのために測定シグナリングを決定し、特定のＵＥに決定した測定シグナリングを送信することを意味し、一方、セル固有の測定シグナリングは、ｅＮＢがピコセル３１のすべてのＵＥのために測定シグナリングを決定し、ピコセル３１のすべてのＵＥに決定した測定シグナリングをブロードキャストすることを意味する。
【００４３】
具体的には、第１のタイプの情報は、上記の第１のビットマップでもよく、第２のタイプの情報は、上記の第２のビットマップでもよい。ＵＥ固有のシグナリングに示される、ピコセル３１のＵＥによって使用できるサブフレームは、典型的には、上記のような第１のビットマップから、またはそのサブセットの場合がある。一方、セル固有のシグナリングに示される、ピコセル３１のＵＥによって使用できるサブフレームは、典型的には、上記のような第２のビットマップから、またはそのサブセットの場合がある。
【００４４】
もちろん、所定のマクロセルに対応する測定シグナリングによって示されるリソース・パターンと、所定のマクロセルによってピコセルに示されるＸ２で伝えられるＡＢＳパターンとの関係は、やはり未指定とし、知的所有権のある方法で決定することができる。
【００４５】
無線リンク障害、スケジューリング、適応変調、コーディングなどを防ぐ要件を考えて、ＲＬＭ／ＲＲＭおよびＣＳＩの測定の両方は、所与のタイム・スロットにおいてできるだけ多くの利用可能なリソースを必要とする。さらに、マクロｅＮＢによって干渉されるＵＥだけが、ＣＳＩ／ＲＬＭ／ＲＲＭの測定で限定される必要がある。
【００４６】
特定のＵＥ（複数可）だけに通知するためにＵＥ固有のＲＲＣを実行することによって、すべてのピコＵＥがマクロｅＮＢから深刻な干渉を受けるとは限らないシナリオに対処する。つまり、セル・エッジのピコＵＥは、セル中心のピコＵＥより大きな干渉を受けることになる。マクロｅＮＢからの干渉が深刻でないＵＥについては、ＣＳＩ／ＲＬＭ／ＲＲＭの測定のために限定は必要ではない。
【００４７】
さらに、頻繁に更新する必要のあるパターンを伝えるためにＵＥ固有のシグナリングを使用できるが、一方、頻繁に更新されないパターンを伝えるためにセル固有のシグナリングを使用することができる。一般的に言って、正確な経路情報を取得するために、ＣＳＩの測定をかなり頻繁に報告する必要があり、ハンドオーバーが発生した場合には、ＲＲＭ測定をｅＮＢに頻繁にフィード・バックする必要があり、一方、ＲＬＭ測定は、より少ない頻度で報告することができる。しかし、そのようなパターンがセルにおいてＵＥのサブセットだけに適用可能な場合に、これは、頻繁に更新されないパターンを伝えるためにＵＥ固有のＲＲＣシグナリングの使用を排除するものではない。
【００４８】
したがって、ＵＥ固有の測定シグナリングおよびセル固有の測定シグナリングは、以下の１つとして構成される。すなわち、
−ＣＳＩの測定に使用されるＵＥ固有の測定シグナリングならびにＲＲＭおよびＲＬＭの測定に使用されるセル固有の測定シグナリング、
−ＣＳＩ、ＲＲＭ、およびＲＬＭの測定に使用されるＵＥ固有の測定シグナリング、
−ＣＳＩ、ＲＲＭ、およびＲＬＭの測定に使用されるセル固有の測定シグナリング、
−ＣＳＩおよびＲＲＭの測定に使用されるＵＥ固有の測定シグナリングおよびＲＬＭの測定に使用されるセル固有の測定シグナリング、
−ＲＲＭおよびＲＬＭの測定に使用されるＵＥ固有の測定シグナリングならびにＣＳＩの測定に使用されるセル固有の測定シグナリング。
【００４９】
本発明の変形実施形態では、測定のための複数のＡＢＳパターンがピコＵＥに送信される場合、測定シグナリングは、ＡＢＳパターンのそれぞれに対応するマクロセルのそれぞれのセルＩＤをさらに含む。
【００５０】
図３から図７は、測定シグナリングの設計をそれぞれ示している。ＣＳＩの測定に関係するＲＲＣシグナリングの設計は、最初に提供されている。ＲＡＮ１＃６２ｂｉｓのＲ１−１０５７７９に基づいて、ＣＳＩの測定に使用されるリソースは、マクロｅＮＢからピコｅＮＢへの拡張されたＩＣＩＣ（ｅＩＣＩＣ）に対するほぼブランクのサブフレーム（ＡＢＳ）パターンを備えた第１のＸ２ビットマップと同じまたはそのサブセットであるべきである。ＣＳＩの測定にはＵＥ固有およびセル固有のＲＲＣシグナリングの両方を利用することができる。
【００５１】
図３は、ＣＳＩの測定のためのＵＥ固有のＲＲＣシグナリングを示している。ＣＳＩの測定のためにこの情報を運ぶ新しいＩＥは、「ｃｓｉ−ＭｅａｓＲｅｓｔｒｉｃｔｉｏｎ  ＢＩＴ  ＳＴＲＩＮＧ（ＳＩＺＥ（４０））  ＯＰＴＩＯＮＡＬ，−−Ｎｅｅｄ  ＯＮ」として図３に示されている。
【００５２】
この情報は、物理レイヤでＰＤＳＣＨによって運ばれるＩＥ  ＰｈｙｓｉｃａｌＣｏｎｆｉｇＤｅｄｉｃａｔｅｄにおいてＵＥ固有のものである。異なるＵＥは、ピコｅＮＢのカバレッジにおいて、それらの位置または信号対干渉雑音比（ＳＩＮＲ：ｓｉｇｎａｌ−ｔｏ−ｉｎｔｅｒｆｅｒｅｎｃｅ−ｐｌｕｓ−ｎｏｉｓｅ  ｒａｔｉｏ）の状態に基づいて、ＣＳＩの測定のために異なる指示を共有することができる。柔軟性を維持し、マクロｅＮＢからのｅＩＣＩＣに対して推奨される４０ｍｓのＸ２ビットマップに一致させるために、この新しいＩＥは、また、４０ビット長に設計されており、ビット文字列の「１」はＣＳＩの測定のためのサブフレームを意味する。ここで、ＣＳＩの測定を運ぶ位置は、マクロｅＮＢのためにブランクにする位置とは異なってもよいことを強調する必要がある。このためにＴＳ３６．３３１の詳細な変更を以下に記載している。
【００５３】
具体的には、ＰｈｙｓｉｃａｌＣｏｎｆｉｇＤｅｄｉｃａｔｅｄフィールドの記述を以下の表１に示している。
【００５４】
【表１】
2013544051.tif 000003
【００５５】
図４は、ＣＳＩの測定のためのセル固有のＲＲＣシグナリングを示している。ＣＳＩの測定のためにこの情報を運ぶ新しいＩＥは、「ｃｓｉ−ＭｅａｓＲｅｓｔｒｉｃｔｉｏｎ  ＢＩＴ  ＳＴＲＩＮＧ（ＳＩＺＥ（４０））ＯＰＴＩＯＮＡＬ，−−Ｎｅｅｄ  ＯＮ」として図４に示されている。
【００５６】
セル固有のＲＲＣシグナリングについて、新しいＩＥ「ｃｓｉ−ＭｅａｓＲｅｓｔｒｉｃｔｉｏｎ」は、システム情報としてＳｙｓｔｅｍｌｎｆｏｒｍａｔｉｏｎＢｌｏｃｋＴｙｐｅ１（ＳＩＢ１）で運ぶことができ、すべてのＵＥにブロードキャストすることができる。ビット文字列のサイズは、ここでも４０ビットである。ここで、「１」はＡＢＳへの対応するサブフレームを示し、「０」は、通常のサブフレームまたは限定されていないサブフレームへの対応するサブフレームを示す。このＲＲＣシグナリングは、Ｒｅｌ−１０ピコＵＥに対するＣＳＩの測定基準として使用することができる。
【００５７】
具体的には、ＳｙｓｔｅｍＩｎｆｏｒｍａｔｉｏｎＢｌｏｃｋＴｙｐｅ１フィールドの記述は、以下の表２に示すとおりである。
【００５８】
【表２】
2013544051.tif 000004
【００５９】
図５は、ＲＲＭ／ＲＬＭ測定のためのＵＥ固有のＲＲＣシグナリングを示している。
ＲＲＭ／ＲＬＭの測定のためにこの情報を運ぶ新しい２つのＩＥは、「ｒｒｍ−ＭｅａｓＲｅｓｔｒｉｃｔｉｏｎ  ＢＩＴ  ＳＴＲＩＮＧ（ＳＩＺＥ（４０））ＯＰＴＩＯＮＡＬ，  −−Ｎｅｅｄ  ＯＮ」および「ｒｌｍ−ＭｅａｓＲｅｓｔｒｉｃｔｉｏｎ  ＢＩＴ  ＳＴＲＩＮＧ（ＳＩＺＥ（４０））ＯＰＴＩＯＮＡＬ，  −−Ｎｅｅｄ  ＯＮ」として図５に示されている。
【００６０】
基本概念の記述に従って、一部のＲｅｌ−１０のＵＥは、他のものとは異なる場合がある、それ自体についての特定のパターンを必要とする。また、パフォーマンスの観点から、これは最適な解決策である。この場合、与干渉ｅＮＢは、パターン通知のためにＵＥ固有のＲＲＣシグナリングを異なるＵＥに提供するべきである。たとえば、対応する新しい情報は、次のＩＥで追加される。柔軟さのために、ＲＲＭ測定とＲＬＭ測定とでは、パターン指示を区別する。
【００６１】
具体的には、ＭｅａｓＣｏｎｆｉｇ情報要素は、以下の表３のように与えられる。
【００６２】
【表３】
2013544051.tif 000005
【００６３】
図６は、ＲＲＭ／ＲＬＭ測定のためのセル固有のＲＲＣシグナリングを示している。ＲＲＭ／ＲＬＭの測定のためにこの情報を運ぶ新しい２つのＩＥは、「ｒｒｍ−ＭｅａｓＲｅｓｔｒｉｃｔｉｏｎ  ＢＩＴ  ＳＴＲＩＮＧ（ＳＩＺＥ（４０））ＯＰＴＩＯＮＡＬ，  −−Ｎｅｅｄ  ＯＮ」および「ｒｌｍ−ＭｅａｓＲｅｓｔｒｉｃｔｉｏｎ  ＢＩＴ  ＳＴＲＩＮＧ（ＳＩＺＥ（４０））ＯＰＴＩＯＮＡＬ，  −−Ｎｅｅｄ  ＯＮ」として図５に示されている。
【００６４】
一実施形態では、すべてのＲｅｌ−１０ピコＵＥに対するＲＲＭ／ＲＬＭ測定は、頻繁に変更されずに半静的なモードに実行できるため、ＳｙｓｔｅｍＩｎｆｏｒｍａｔｉｏｎＢｌｏｃｋＴｙｐｅ１（ＳＩＢ１）メッセージに挿入されるセル固有のシグナリングは適切な方法となり得る。
【００６５】
それを規定する簡単な方法の１つは、マクロｅＮＢからの第２のＸ２  ４０ｍｓビットマップ（ＲＲＭ／ＲＬＭ測定パターン調整用）に基づいている。
【００６６】
詳細情報について、ＳｙｓｔｅｍＩｎｆｏｒｍａｔｉｏｎＢｌｏｃｋＴｙｐｅ１フィールドの記述が、以下の表４に示されている。
【００６７】
【表４】
2013544051.tif 000006
【００６８】
上記の記述は、たとえばＲＲＣシグナリングを介して、ピコセル３１のｅＮＢ２１がＵＥに、どのように測定シグナリングを送信するかに主に注目している。以下の記述は、測定のために複数のＲＲＣシグナリングを受信した場合、ＵＥがどのように振る舞うかに注目する。
【００６９】
上記の記述から、隣接するマクロｅＮＢからのＸ２シグナリングは、ＲＲＭ／ＲＬＭ／ＣＳＩ測定の推薦としてピコｅＮＢに伝送されることを当業者は理解することができる。しかし、たとえば、図１に示すように、複数のマクロｅＮＢは複数のＸ２ビットマップを持つことができるため、マクロｅＮＢ２２、２３、および２４は、それぞれのＡＢＳパターンを持つことができ、マクロｅＮＢからの異なるＸ２ビットマップに基づいて測定のために、ピコＵＥが複数のＲＲＣシグナリングを受信することが可能である。そこで、本発明の実施形態は、この場合に対してＵＥの振る舞いを規定するために使用される。
【００７０】
本発明の実施形態は、マクロ−ピコのシナリオに関して本明細書に記述しているが、上記のようにマクロ−フェムトのシナリオにも同様に適用されることを理解されたい。
【００７１】
本発明の全体にわたって、ピコＵＥ１１が深刻な干渉を受ける図１に示すような例を使用した。本発明は、マクロＵＥがフェムトｅＮＢから深刻な干渉を受けるシナリオでも同様に適用できることに留意されたい。
【００７２】
さらに、異なるマクロｅＮＢは、異なるＡＢＳパターンを用いることができる。図１に示すように、１つのピコのＵＥは、複数のマクロｅＮＢから干渉を受ける場合がある。その結果、これら複数のｅＮＢからピコｅＮＢで２つ以上のＡＢＳパターンを受信することができる。複数のＲＲＣシグナリングを用いるＵＥの振る舞いは、本発明の実施形態に含まれている。
【００７３】
本発明の前に、ピコｅＮＢは、たとえば、ＲＲＣシグナリングによって、ピコＵＥにリソース固有の測定のために単一パターンのサブフレームを伝えることが想定される。しかし、複数のマクロｅＮＢでは、ピコｅＮＢ２１は、Ｘ２を通じて２つ以上のＡＢＳパターンを受信することができる。そのようなイベントでは、ピコｅＮＢ２１は、たとえば、ＲＲＣシグナリングによって、ピコＵＥ、たとえばピコＵＥ１１に、たとえばｅＮＢ２２、２３、および２４など、干渉するマクロセルのそれぞれに対応する１つのパターンのサブフレームを伝えることができる。ＲＲＭ／ＲＬＭ／ＣＳＩに対するこのＲＲＣシグナリングは、ＵＥ固有でも、またはセル固有でもよい。本発明の実施形態は、リソース固有の測定に使用するサブフレームのパターンを決定するピコＵＥを含む。
【００７４】
上記の様々な実施形態を以下に記述する。
【００７５】
図２を参照すると、ステップＳ２２でｅＮＢ２１がＵＥ１１に測定シグナリングを送信した後、ステップＳ２３において、ＵＥ１１は、サービスを提供するｅＮＢ２１から測定シグナリングを受信し、測定シグナリングは、少なくとも１つの与干渉マクロセルからの少なくとも１つのパターン情報を含み、パターン情報のそれぞれは、対応するマクロセルによって構成される少なくとも１つのほぼブランクのサブフレームを示している。たとえば、図７を参照すると、ＵＥ１１は、サービスを提供するｅＮＢ２１から測定シグナリングを受信し、測定シグナリングは、３つの与干渉マクロセル（すなわちｅＮＢ２２、２３、および２４）からの３つのパターン情報を含み、パターン情報のそれぞれは、対応するマクロセルによって構成されるブランクのサブフレームを示している。
【００７６】
次いで、ステップＳ２４において、ＵＥ１１は、測定シグナリングに従って測定に使用されるリソースを決定する。
【００７７】
次に、ステップＳ２５において、ＵＥ１１は、決定したリソースで測定を実行する。
【００７８】
本発明の実施形態では、ステップＳ２４は、以下のサブステップをさらに含む。すなわち、
ステップＳ２４０（簡潔さのために図２に図示せず）。ＵＥ１１は、事前に定めたルールに従って、少なくとも１つのマクロセルから、ＵＥに引き起こされた干渉を考慮する必要がある少なくとも１つの候補セルを選択する。
【００７９】
ステップＳ２４１（簡潔さのために図２に図示せず）。１つの候補セルが選択された場合、ＵＥ１１は、候補セルによって構成されたほぼブランクのサブフレームを測定に使用できることを決定する。たとえば、マクロセル３２だけがＸ２インターフェースを介してそのＡＢＳパターン情報をｅＮＢ２１に送信し、ｅＮＢ２１は、マクロセル３２のほぼブランクのサブフレームを示す測定シグナリングを送信し、次いで、ＵＥ１１は、測定シグナリングに示されるほぼブランクのサブフレームの少なくとも一部を使用することができる。１つだけのほぼブランクのパターン情報がＲＲＣシグナリングを介して送信されるため、測定シグナリングとともにセルＩＤを送信する必要がないことを理解することができる。
【００８０】
ステップＳ２４１では、複数の候補セルが選択された場合、ＵＥ１１は、複数の候補セルによって構成されたほぼブランクのサブフレームの共通部分が測定に使用されることを決定する。このシナリオでは、複数の与干渉マクロセルｅＮＢのパターン情報がＵＥ１１によって受信されるため、各与干渉マクロセルのセルＩＤが測定シグナリングに含まれているべきである。
【００８１】
ピコＵＥ１１は、最も大きな干渉を引き起こしているマクロセルの識別情報を決定し、対応するサブフレーム・パターンを選択することによって、測定に使用するサブフレームのパターンを決定する。詳細な実施形態では、事前に定めたルールは、以下のいずれか１つを含む。すなわち、
事前に定めたルールは、候補セルとしてＵＥへの最も大きい干渉を引き起こす第２のセルを選択することができる。言い換えると、最も大きい干渉を持つ第２のセルを弱めることで、最高品質の測定、または最小の干渉を得ることができる。たとえば、ピコＵＥ１１は、サービスを提供するピコセル３１に対して最高品質の測定（または最小の干渉）を提供するピコセルｅＮＢ２１によって伝えられたパターンの１つを選択することによって、測定に使用するサブフレームのパターンを決定する。図７を参照すると、たとえば、マクロセル３２は、ピコセル３１に対して最も強い干渉を引き起こし、マクロセル３２によって引き起こされた干渉は最優先されるべきであり、したがって、マクロセル３２のほぼブランクのサブフレームは、測定のために選択することができ、したがって、ＵＥ１１は、測定のために１０番目のサブフレームを選択することができる。
【００８２】
事前に定めたルールは、ＵＥ１１が、候補セルとしてＵＥに対して最も大きい干渉を持つ事前に定めた数の第２のセルを選択し、次にＵＥ１１は、測定のために複数の候補セルによって構成されたほぼブランクのサブフレームの共通部分から選択するということでもよい。たとえば、ピコＵＥ１１は、たとえば、最も強い干渉するマクロセルに対応するパターンの論理「ＡＮＤ」を取ることによって、伝えられた複数のパターンに共通するサブフレームのパターンを選択し、サービスを提供するピコセルの最高品質の測定、または最小の干渉を達成する。図７では、１０のサブフレームを含む２つの完全な無線フレームだけが示されている。図に示す無線フレームは説明のみを目的とするものであり、実際に使用される標準またはプロトコルに従って無線フレーム構造を変更できることを当業者なら理解することができる。図７を参照すると、たとえば、マクロセル３２およびマクロセル３４は、ピコＵＥ１１に対して最も強い干渉を引き起こし、したがって、マクロセル３２およびマクロセル３４からの干渉は無視することができない。したがって、同じサブフレームで２つのマクロセル３２および３４のデータおよび／またはシグナリングの伝送を弱めることで、ＵＥのパフォーマンスを最も改善することができる。したがって、共通のサブフレーム、すなわち、＃０無線フレーム（ＲＦ）の＃２サブフレーム（ＳＦ）および＃１ＲＦの＃０ＳＦは、ＵＥ１１が測定を実行するために使用することができる。また、測定に使用するために＃０ＲＦの＃２ＳＦおよび＃１ＲＦの＃０ＳＦという２つのサブフレームのどちらか１つを決定するのは、ＵＥ１１に任されている。ピコＵＥ１１は、＃０ＲＦの＃２ＳＦもしくは＃１ＲＦの＃０ＳＦ、またはそれら両方を選択することができる。
−候補セルとして事前に定めたしきい値を超えてＵＥに引き起こした干渉を持つ少なくとも１つの第２のセルの選択。具体的には、しきい値は、ピコＵＥ１１で論理「ＡＮＤ」演算においてどのパターンを含めるべきかを決定するために適用することができる。たとえば、事前に定めたしきい値を超えるレベルの干渉を与えるマクロセルに対応するサブフレーム・パターンだけを、論理「ＡＮＤ」演算に含めてもよい。
【００８３】
測定のための適切なＡＢＳパターンのＵＥ側での選択について上に記述したが、ＵＥ側の選択は、ピコｅＮＢに同様に適用可能であることを当業者は理解することができる。すなわち、ｅＮＢが複数のＡＢＳパターンを取得した場合、上記の事前に定めたルールに基づいて、ピコＵＥが測定に使用するために推奨されるサブフレームを決定することができる。しかし、ピコＵＥおよびピコｅＮＢの場所の違いとして、ピコＵＥが受ける干渉は、たいていはピコｅＮＢが受ける干渉とは異なり、したがって、ピコＵＥのためにピコｅＮＢによって決定された測定のためのＡＢＳパターンは、あまり正確ではない場合がある。
【００８４】
本発明の実施形態では、ＲＲＣシグナリングは、説明的な方法で記述されている。ＲＲＣシグナリングの詳細は、３ＧＰＰ  ＬＴＥ／ＬＴＥ−Ａ標準を参考にすることができる。当業者なら、本発明の実施形態は、また、たとえば、ＭＡＣ制御メッセージなど、他の標準の対応する上位レイヤ・シグナリングにも適用することができ、その詳細は、ＩＥＥＥ８０２．１６ｍを参考にすることができる。その手順は類似しているため、簡潔にするために、詳細な説明は省略する。
【００８５】
さらに、ＡＢＳパターンが測定に使用される例を示したが、当業者は、ＡＢＳパターンは、他の目的にも使用できることも理解することができる。たとえば、測定シグナリングは、測定および／またはスケジューリングおよび／または電力制御および／または協調的な中継（ｃｏｏｐｅｒａｔｉｖｅ  ｒｅｌａｙ）および／またはＣｏＭＰなどに使用されるサブフレームを示すために使用される。
【００８６】
以前の内容の説明によれば、測定のためにＸ２ビットマップを通知するために複数の関係するセル固有およびＵＥ固有のシグナリングが慎重に設計されている。
【００８７】
最初に、ＲＲＭ／ＲＬＭ／ＣＳＩの測定に関係するＲＲＣシグナリングの設計が提供される。ＲＡＮ１＃６２ｂｉｓのＲ１−１０５７７９に基づいて、ＣＳＩの測定に使用されるリソースは、マクロｅＮＢからピコｅＮＢへの拡張されたＩＣＩＣ（ｅＩＣＩＣ）に対するほぼブランクのサブフレーム（ＡＢＳ）パターンを備えた第１のＸ２ビットマップと同じまたはそのサブセットであるべきである。ＣＳＩの測定にはＵＥ固有およびセル固有のＲＲＣシグナリングの両方を利用することができる。
【００８８】
図８は、ＲＲＭ／ＲＬＭ／ＣＳＩの測定のためのセル固有のＲＲＣシグナリングを示している。セル固有のＲＲＣシグナリングについて、新しいＩＥ「ｒｒｍ／ｒｌｍ−ＭｅａｓＲｅｓｔｒｉｃｔｉｏｎ」および「ｃｓｉ−ＭｅａｓＲｅｓｔｒｉｃｔｉｏｎ」は、システム情報としてＳｙｓｔｅｍＩｎｆｏｒｍａｔｉｏｎＢｌｏｃｋＴｙｐｅ１で運ぶことができ、すべてのＵＥにブロードキャストすることができる。具体的には、
【数１】
2013544051.tif 000007
は新しい。ビット文字列のサイズは、ここでも４０ビットである。ここで、「１」はＡＢＳへの対応するサブフレームを示し、「０」は、通常のサブフレームへの対応するサブフレームを示している。このＲＲＣシグナリングは、隣接する干渉するセルから複数のＸ２ビットマップからの情報を運び、それらの位置に基づいて、異なるＲｅｌ−１０  ＵＥに対する測定基準として使用することができる。次に、Ｒｅｌ−１０  ＵＥは、上記の記述に基づいて、関係する振る舞いを実行する。
ＳｙｓｔｅｍＩｎｆｏｒｍａｔｉｏｎＢｌｏｃｋＴｙｐｅ１フィールドは、以下の表５に記述されている。
【００８９】
【表５】
2013544051.tif 000008
【００９０】
図９は、ＣＳＩの測定のためのＵＥ固有のＲＲＣシグナリングを示している。ＵＥ固有のＲＲＣシグナリングについては、新しいＩＥ「ｃｓｉ−ＭｅａｓＲｅｓｔｒｉｃｔｉｏｎ」は、物理レイヤでＰＤＳＣＨによって運ばれるＰｈｙｓｉｃａｌＣｏｎｆｉｇＤｅｄｉｃａｔｅｄフィールドで運ぶことができる。具体的には、
【数２】
2013544051.tif 000009
は新しい。
【００９１】
具体的には、ＰｈｙｓｉｃａｌＣｏｎｆｉｇＤｅｄｉｃａｔｅｄフィールドの記述は、以下の表６に与えられている。
【００９２】
【表６】
2013544051.tif 000010
【００９３】
基本概念の記述に従って、一部のＲｅｌ−１０  ＵＥは、他のものとは異なる場合がある、それ自体について特定パターンを必要とする。また、パフォーマンス観点からは、これは最適な解決策である。この場合、与干渉ｅＮＢは、パターン通知のためにＵＥ固有のＲＲＣシグナリングを異なるＵＥに提供するべきである。たとえば、対応する新しい情報は、次のＩＥで追加される。柔軟さのために、ＲＲＭ測定とＲＬＭ測定とでは、パターン指示を区別する。
【００９４】
図１０は、ＲＲＭ／ＲＬＭ測定のためのＵＥ固有のＲＲＣシグナリングを示している。ＵＥ固有のＲＲＣシグナリングについて、新しいＩＥ「ｒｒｍ−ＭｅａｓＲｅｓｔｒｉｃｔｉｏｎ」および「ｒｒｍ−ＭｅａｓＲｅｓｔｒｉｃｔｉｏｎ」は、「ＭｅａｓＣｏｎｆｉｇ」情報要素で運ぶことができる。具体的には、
【数３】
2013544051.tif 000011
は新しい。
【００９５】
具体的には、ＭｅａｓＣｏｎｆｉｇ情報要素の記述は、以下の表７に与えられている。
【００９６】
【表７】
2013544051.tif 000012
【００９７】
上記の記述は、主に本発明の実施形態の手順に注目しており、以下は、主に本発明のブロック図に注目している。
【００９８】
第１の装置１０は、ピコセル３１のｅＮＢ２１において、ピコセル３１のＵＥ１１に測定シグナリングを伝えるものであり、ピコセル３１は、少なくとも１つのマクロセルによって干渉され、第１の装置１０は、
第２のセルのｅＮＢまたはネットワーク構成によって構成されるほぼブランクのサブフレームを示すパターン情報を、第２のセルのｅＮＢまたはネットワーク構成から取得するように構成された取得手段１００と、
サブフレームを示す測定シグナリングを決定するように構成された第１の決定手段１０１と、
ＵＥに測定シグナリングを送信するように構成された送信側１０２と
を含む。
【００９９】
ピコセル３１のＵＥ１１において、ピコセル３１のサービスを提供するｅＮＢから受信される測定シグナリングを処理する第２の装置２０であって、
サービスを提供するｅＮＢから測定シグナリングを受信するように構成された受信機２００であって、測定シグナリングは、少なくとも１つの第２のセルからの少なくとも１つのパターン情報を含み、パターン情報のそれぞれは、対応する第２のセルによって構成される少なくとも１つのほぼブランクのサブフレームを示す受信機２００と、
測定シグナリングに従って測定に使用されるリソースを決定するように構成された第２の決定手段２０１と、
決定したリソースで測定を実行するように構成された測定手段２０２と
を含む。
【０１００】
前述の実施形態は、本発明を限定するためではなく説明するためのものであり、当業者は、添付の特許請求の範囲から逸脱することなく代替実施形態を設計できることになることに留意されたい。特許請求の範囲では、括弧の間に配置された引用符号は、請求項を限定するものとして解釈されないものとする。「含む（ｃｏｍｐｒｉｓｉｎｇ）」という言葉は、特許請求の範囲または記述に記載されていない要素またはステップの存在を除外するものではない。要素の前にある「１つの（ａ）」または「１つの（ａｎ）」という言葉は、そのような要素が複数存在することを除外するものではない。複数のユニットを列挙する装置の請求項において、これらの複数のユニットは、ハードウェアまたはソフトウェアによる１つの同じ要素によって具体化することができる。第１、第２、第３などの言葉の使用は、順序を示すものではない。これらの単語は、名前として解釈されるべきである。
【図１】
2013544051.tif 000013
【図２】
2013544051.tif 000014
【図３】
2013544051.tif 000015
【図４】
2013544051.tif 000016
【図５】
2013544051.tif 000017
【図６】
2013544051.tif 000018
【図７】
2013544051.tif 000019
【図８】
2013544051.tif 000020
【図９】
2013544051.tif 000021
【図１０】
2013544051.tif 000022
【図１１】
2013544051.tif 000023
【国際調査報告】
2013544051.tif 000024
2013544051.tif 000025
2013544051.tif 000026